(57)【特許請求の範囲】
【請求項１】
デッキ材同士を連結するためのデッキ連結具が、
根太材に固定される固定部と、
この固定部から略垂直に立ち上がる縦条部と、
この縦条部の先端の一部を、一方向に略水平に折り曲げた形状の第１の係止部と、
前記縦条部の先端の他部を前記第１の係止部とは反対方向に折り曲げた形状の第２の係止部と、
前記固定部に連接し、かつ傾斜して立ち上がり、その先端部によって隣接するデッキ材の位置を規制する機能をもつ規制爪と、
を、有する一方、
このデッキ連結具における前記第１または第２の係止部と嵌合する嵌合溝が、第１の側面と、この第１の側面の反対側の第２の側面に、設けられており、かつ、木質系材料からなると共に、
隣接するデッキ材同士を連結した場合に、それらのデッキ材の接続部の下側に、排水路が形成されており、
前記隣接するデッキ材同士の接続部に形成される前記水を下に落とすための隙間は、入り組んだ形状の流路を形成しており、これによって、前記隙間へのコインの落下が防止されることを特徴とするデッキ材。
【請求項２】
請求項１記載のデッキ材におけるデッキ連結具が、
前記規制爪は、前記デッキ材の組み立て時の作業圧力によっては降伏せず、前記デッキ材の吸水による膨張に起因する膨張圧力によっては、降伏し得る特性を有することを特徴とするデッキ材。
【請求項３】
請求項１または２記載のデッキ材であって、
隣接するデッキ材同士を連結した場合に、水を下に落とすための隙間が形成されることを特徴とするデッキ材。
【請求項４】
請求項１〜請求項３のいずれか記載のデッキ材であって、
このデッキ材の前記第１の側面と第２の側面の断面形状は同じではなく、
前記第１の側面は、そのデッキ材の上端部よりも内側に後退した側面をもつと共に、その後退した側面において前記嵌合溝が形成されており、
一方、前記第２の側面は、前記デッキ材の上端部よりも外側に突出する２つの突出片をもち、その２つの突出片は上下の位置関係をもって配置され、その２つの突出片に挟まれて前記嵌合溝が形成され、また、前記２つの突出片のうちの上側に位置する突出片がコイン落下防止用の突出片として機能し、また、下側に位置する突出片の下には、側面を内側に大きく後退させることによって切り欠き部が形成されており、
かつ、第１のデッキ材の前記第１の側面と、この第１のデッキ材に隣接する第２のデッキ材の前記第２の側面と、を、請求項１または請求項２記載のデッキ連結具を挟んで対向させ、そのデッキ連結具を根太材に固定すると共に、その第１および第２の側面に設けられている嵌合溝に、前記デッキ連結具の第１および第２の係止部を嵌合させ、この際、前記デッキ連結具の規制爪で一方のデッキ材の位置を規制し、これによって、前記隣接する第１および第２のデッキ材同士を連結した場合には、前記水を下に落とすための入り組んだ隙間が形成され、前記コイン落下防止用の突出片によってコイン落下が防止され、また、前記切り欠き部によって前記排水路が形成される、ことを特徴とするデッキ材。
【請求項５】
デッキ材同士を連結するためのデッキ連結具が、
根太材に固定される固定部と、
この固定部から略垂直に立ち上がる縦条部と、
この縦条部の先端の一部を、一方向に略水平に折り曲げた形状の第１の係止部と、
前記縦条部の先端の他部を前記第１の係止部とは反対方向に折り曲げた形状の第２の係止部と、
前記固定部に連接し、かつ傾斜して立ち上がり、その先端部によって隣接するデッキ材の位置を規制する機能をもつ規制爪と、
を、有する一方、
根太材上に固定された、このデッキ連結具の前記第１および第２の係止部の各々に対して、隣接する２つのデッキ材の側面の前記嵌合溝を嵌合させ、この際、前記デッキ連結具の規制爪で一方のデッキ材の位置を規制し、これによって、各デッキ材の接続部分において、水を下に落とすための隙間を構築しつつ、デッキ材同士を連結してなるデッキ構造であって、
前記隣接する２つのデッキ材の接続部の下側には排水路が形成されており、かつ、
前記隣接するデッキ同士の接続部の上側では、コイン落下防止用の突出片が張り出し、これによって、コインの落下が防止されることを特徴とするデッキ構造。
【請求項６】
請求項１〜請求項４のいずれか記載のデッキ材同士を連結するデッキ構造の組み立て方法であって、
前記デッキ材におけるデッキ連結具の固定部を、根太材に固定する第１の工程と、
前記デッキ連結具の第１および第２の係止部に対して、デッキ材の側面の前記嵌合溝を合わせて押し込み、嵌合させる第２の工程と、
前記第１および第２の工程を繰り返すことによって連結された一連のデッキ材の終端にあたる部分を、根太材に固定する第３の工程と、を含むことを特徴とするデッキ構造の組み立て方法。
【請求項７】
請求項６記載のデッキ構造の組み立て方法を用いて構築された、複数個のデッキ材を二次元に配置してなるデッキフロア。
【発明の詳細な説明】
【技術分野】
【０００１】
本発明は、デッキ材、デッキ構造、デッキ組み立て方法およびデッキフロアに関し、特に、屋外で使用される、木質系材料（純粋な木質材料の他、木材と合成樹脂を混合した木質合成材を含む）で構成されるデッキ材を、デッキ連結具（ジョイント）を用いて相互に接続固定して、デッキフロアを構築するための技術に関する。
【背景技術】
【０００２】
木粉と合成樹脂の混合体を成型して得られる木質合成材は、防水性、耐火性を備えると共に、温かみのある木質系の質感をもつという特徴がある。このようなデッキ材は、例えば、特許文献１に記載されている。
【０００３】
また、連結金具（ジョイント）を用いて、隣接するデッキ材同士を連結具（ジョイント）を用いて固定したデッキ構造は、例えば、特許文献２．特許文献３に記載されている。
【特許文献１】特開２００２−２２７２９１号公報
【特許文献２】特開２００１−２７１４１７号公報
【特許文献３】特開２００３−４９５２６号公報
【発明の開示】
【発明が解決しようとする課題】
【０００４】
特許文献２記載のデッキ構造では、連結具（ジョイント）を根太材にビス（ネジ）で固定すると共に、デッキ材もその連結具（ジョイント）にビス（ネジ）で固定している。デッキ材の固定もビス（ネジ）で行うため、デッキ材の組立にある程度の手間がかかるのは否めない。
【０００５】
また、特許文献２記載のデッキ構造では、略Ｔ字型の断面をもつ連結具（ジョイント）の横方向に突出した係止部を、デッキ材の側面に設けられた嵌合溝に嵌合させてデッキ同士を連結しており、この点では、デッキ材の組み立ての作業性は改善される。
【０００６】
ただし、このデッキ構造では、隣接するデッキ材同士の離間間隔が連結具（ジョイント）の厚みで一律に規定されてしまい、離間間隔の設定の自由度が少ない点は否めない。例えば、雨水を下に効率的に落とすために、デッキ材同士を十分に離間させたいような場合には、対応がむずかしくなる場合がないとは言えない。また、仮に、デッキ材同士を十分な間隔を保って離間させることができた場合でも、今度は、デッキ材の隙間から、コイン（例えば、１００円玉）等が下に落ちてしまうことも想定され、このための対策も新たに必要となる。
【０００７】
また、特許文献１および特許文献２は、木質系デッキ材が雨水等の吸水によって、その体積が膨張したとき、その膨張圧力をどのようにして逃がすかについては、何ら言及がない。本発明の発明者の検討によれば、吸水によるデッキ材の体積は相当に増加し、その際の膨張圧力は、例えば、６００ｋｇｆ（ｆ：ｆｏｒｃｅ）にも及ぶことが明らかとなっている。デッキ材の吸水による膨張圧力を適切に吸収（緩和）できなければ、最悪の場合、デッキ材自体が破壊される事態も生じ得る。
【０００８】
本発明はこのような考察に基づいてなされたものであり、その目的は、高品質で、水はけがよく、安全で、耐久性に富み、かつ、組み立てが容易な、木質系のデッキフロアを実現することにある。
【課題を解決するための手段】
【０００９】
本発明のデッキ連結具は、デッキ材同士を連結するためのデッキ連結具であって、根太材に固定される固定部と、この固定部から略垂直に立ち上がる縦条部と、この縦条部の先端の一部を、一方向に略水平に折り曲げた形状の第１の係止部と、前記縦条部の先端の他部を前記第１の係止部とは反対方向に折り曲げた形状の第２の係止部と、前記固定部（ａ）に連接し、かつ傾斜して立ち上がり、その先端部によってデッキ材の位置を規制する機能をもつ規制爪と、を、有する。
【００１０】
この構成によれば、デッキ連結具に規制爪が設けられることによって、デッキフロアの組立作業時には、隣接するデッキ材同士の位置決めを、極めて容易に行うことができる。したがって、熟練の作業者でなくても組み立てができ、組み立て作業の作業効率も向上する。
【００１１】
また、本発明のデッキ連結具の一態様では、前記規制爪は、前記デッキ材の組み立て時の作業圧力によっては降伏せず、前記デッキ材の吸水による膨張に起因する膨張圧力によっては降伏し得る特性を有する。
【００１２】
デッキ連結具の規制爪は、通常の作業圧力（５０〜６０ｋｇｆ：５００〜６００Ｎ）には降伏しない。したがって、通常作業時には、この規制爪の存在によって、隣接するデッキ材の奥深くへの侵入が禁止され、適正な位置合わせを迅速かつ容易に行うことができる。また、雨水を下に落とすための隙間（流路）も確実に確保することができる。一方、デッキの吸水による膨張圧力（例えば、６００ｋｇｆ：６０００Ｎ）には、規制爪は降伏して、傾斜している爪が反対方向に向けて変形し、その膨張圧力を吸収する。したがって、デッキ材が破壊に至ることがなく、デッキ材の信頼性、安全性が向上する。
【００１３】
また、本発明のデッキ材では、本発明のデッキ連結具における前記第１または第２の係止部と嵌合する嵌合溝が、第１の側面と、この第１の側面の反対側の第２の側面に設けられており、かつ、木質系材料からなる。
【００１４】
この構成によれば、デッキ材の側面に設けられた嵌合溝に、デッキ連結具の第１および第２の係止部を嵌合することによって、デッキ材同士を効率的に連結することができる。
【００１５】
また、本発明のデッキ材の一態様では、隣接するデッキ材同士を連結した場合に、水を下に落とすための隙間が形成される。
【００１６】
デッキ材同士の接続部に、雨水等を下に落とすための隙間（流路）を形成するものであり、これによって、水はけをよくすることができる。また、この隙間（流路）の形成は、デッキ連結具の規制片によるデッキ材の位置決めによって、自動的に行うことができるため、組み立て作業に精通した熟練の作業者でなくても、適正な隙間（流路）を形成することができる。
【００１７】
また、本発明のデッキ材の他の態様では、隣接するデッキ材同士を連結した場合に、それらのデッキ材の接続部の下側に、排水路が形成される。
【００１８】
この構成によって、下に落ちた雨水等を、その排水路を経由して効率的に排出することが可能である。
【００１９】
また、本発明のデッキ材の他の態様では、前記隣接するデッキ材同士の接続部に形成される前記水を下に落とすための隙間は、入り組んだ形状の流路を形成しており、これによって、前記隙間へのコインの落下が防止される。
【００２０】
水を下に落とすための隙間が単純な形状の溝であれば、その隙間からコイン等が落ち込むことが想定されるため、入り組んだ構造の隙間（流路）として、コイン等の落下を確実に防止するものである。
【００２１】
また、本発明のデッキ材の他の態様では、このデッキ材の前記第１の側面と第２の側面の断面形状は同じではなく、前記第１の側面は、そのデッキ材の上端部よりも内側に後退した側面をもつと共に、その後退した側面において前記嵌合溝が形成されており、一方、前記第２の側面は、前記デッキ材の上端部よりも外側に突出する２つの突出片をもち、その２つの突出片は上下の位置関係をもって配置され、その２つの突出片に挟まれて前記嵌合溝が形成され、また、前記２つの突出片のうちの上側に位置する突出片がコイン落下防止用の突出片として機能し、また、下側に位置する突出片の下には、側面を内側に大きく後退させることによって切り欠き部が形成されており、かつ、第１のデッキ材の前記第１の側面と、この第１のデッキ材に隣接する第２のデッキ材の前記第２の側面と、を、請求項１または請求項２記載のデッキ連結具を挟んで対向させ、そのデッキ連結具を根太材に固定すると共に、その第１および第２の側面に設けられている嵌合溝に、前記デッキ連結具の第１および第２の係止部を嵌合させ、この際、前記デッキ連結具の規制爪で一方のデッキ材の位置を規制し、これによって、前記隣接する第１および第２のデッキ材同士を連結した場合には、前記水を下に落とすための入り組んだ隙間が形成され、前記コイン落下防止用の突出片によってコイン落下が防止され、また、前記切り欠き部によって前記排水路が形成される。
【００２２】
一つのデッキ材の左右の側面の構造が同じではなく、各々の側面が巧みに工夫された凹凸形状を有している。すなわち、隣接する一方のデッキ材の側面は内側に後退しており、他方のデッキ材の側面は、一方のデッキの側面の後退に対応するように突出した突出片をもち、かつ、その突出片の下側には切り欠きが設けられており、したがって、隣接するデッキ材同士が連結された状態では、入り組んだ隙間（流路）が形成されることになる。また、上側の突出片がコイン落下を防止し、切り欠き部分が、落ちた雨水等を排出するための排水路を形成する。したがって、このデッキ材を使用することによって、雨水等を下に落とすための隙間（流路）の形成と、コイン等の落下防止と、下に落ちた雨水等の効率的な排出と、を同時に達成することができる。
【００２３】
また、本発明のデッキ構造は、根太材上に固定されたデッキ連結具の前記第１および第２の係止部の各々に対して、隣接する２つのデッキ材の側面の前記嵌合溝を嵌合させ、この際、前記デッキ連結具の規制爪で一方のデッキ材の位置を規制し、これによって、各デッキ材の接続部分において、水を下に落とすための隙間を構築しつつ、デッキ材同士を連結した構造をもつ。
【００２４】
この構造によれば、デッキ連結具に規制爪が備わることによって、作業時におけるデッキ材の位置決めが容易化され、また、木質系デッキ材の吸水によって膨張圧力（破壊圧力）が生じるときは、規制爪が降伏してその圧力（応力）を逃がすため、デッキ材の破壊を確実に防止することができ、また、雨水等を下に落とすための隙間（流路）も容易に構築することができるため、水はけをよくすることができる。
【００２５】
また、本発明のデッキ構造の一態様では、前記隣接する２つのデッキ材の接続部の下側には排水路が形成される。
【００２６】
この構造によれば、下に落ちた雨水等を、排水路を経由して効率的に外部に排出することができる。
【００２７】
また、本発明のデッキ構造の他の態様では、前記隣接するデッキ同士の接続部の上側では、コイン落下防止用の突出片が張り出し、これによって、コインの落下が防止される。
【００２８】
コイン落下用の突出片の張り出しによって、コインが、雨水等を下に落とす隙間（流路）から下に落下することが確実に防止される。
【００２９】
また、本発明のデッキ構造の組み立て方法は、デッキ連結具を用いてデッキ材同士を連結してデッキ構造を構築するデッキ構造の組み立て方法であって、デッキ連結具の固定部を、根太材に固定する第１の工程と、前記デッキ連結具の第１および第２の係止部に対して、デッキ材の側面の前記嵌合溝を合わせて押し込み、嵌合させる第２の工程と、前記第１および第２の工程を繰り返すことによって連結された一連のデッキ材の終端にあたる部分を根太材に固定する第３の工程と、を含む。
【００３０】
デッキ構造の組み立て作業時には、デッキ材を押し込んで、側面の嵌合溝をデッキ連結具の係止部に嵌合させるだけでよく、これによって、デッキ材の適正な位置決めと、吸水による膨張圧力からの保護と、雨水等を下に落とすための、入り組んだ形状をもつ隙間（流路）の形成と、接続部の底部における排水路の構築と、を同時に実現することができ、作業者の熟練は不要である。
【００３１】
また、本発明のデッキフロアは、本発明のデッキ構造の組み立て方法を用いて、複数個のデッキ材を二次元に配置して構築される。
【００３２】
これにより、屋外の設置に適した、木質系の落ち着いた質感をもち、水はけがよく、吸水膨張による破壊がなく高信頼度かつ安全な、高品質のデッキフロア（例えば、ガーデニング用デッキ、遊歩道や公園施設等のデッキあるいはベランダのデッキ等）を、効率的に、安価に構築することが可能である。
【発明の効果】
【００３３】
本発明は、特に、一つのデッキ材と、デッキ連結具と、隣のデッキ材とが係合する部分の構造に工夫が凝らされており（すなわち、一つのデッキ材の左右の側面の形状が同じではなく、各々を最適な形状としており）、また、規制爪を備えるデッキ連結具（ジョイント）を使用しており、これらによって、以下の主要な効果を得ることができる。
（１）デッキ連結具（ジョイント）の規制爪によって、デッキ材同士の間隔を適正に保つことができ、水が、デッキの下側に流れ落ちるための流路が確実に確保されるため、水はけがよい。
（２）作業者の熟練に頼ることなく簡単に、上記（１）のデッキフロアを構築できるため、デッキ組立の作業効率が向上する。
（３）雨水等の吸水によって木質系デッキ材が膨張して過剰な圧力が加わったときは、デッキ連結具（ジョイント）の規制爪が降伏して、その圧力を効果的に吸収するため、デッキ材の破壊が生じることがなく、よって、安全性、信頼性が向上する。
（４）雨水の流路を構成するデッキ材の一部が、コイン等の落下を防止する突条（落下阻止片）としても機能するため、デッキ材同士の間隔を適正に保って上記（１）の効果を得ると同時に、コインがデッキ下に落ちることを効果的に防止でき、したがって、利用者の基本的な利便性が向上する。
（５）デッキ材同士の接続部分の下部には、デッキ材の幅方向（接続方向とは垂直な方向）に沿って中空の溝が形成され、この溝は、デッキ連結具（ジョイント）を、表面に出ないように埋設する働きをもつと共に、デッキ下に落ちた雨水を排水するための排水路としても機能し、したがって、デッキ下に雨水が滞留することがない。
（６）本発明によって、高品質で、水はけがよく、信頼性が高く安全であり（膨張による破壊が生じない）、耐久性に富み、かつ組み立て容易な、アウトドアに適したデッキ構造ならびにデッキフロアが実現される。
【発明を実施するための最良の形態】
【００３４】
次に、本発明の実施形態について、図面を参照して説明する。
【００３５】
（第１の実施形態）
本実施形態では、デッキ材の構造について説明する。
【００３６】
図１は、本発明の木質系材料からなるデッキ材の斜視図（底面側から見た斜視図）である。
【００３７】
図１のデッキ材は、木粉と合成樹脂（ＡＢＳ樹脂等）の混合体を成型して得られる木質合成材からなる、アウトドアの設置に適したデッキ材である（但し、純粋な木質材料からなるものでもよく、また、アウトドア用途に限定されるものではない）。
【００３８】
図示されるように、デッキ材１００は、上面（ｋ）と底面（ｓ）、互いに異なる断面形状（凹凸形状）を備える左右の側面（第１および第２の側面）と、幅方向（上面ｋや底面ｓの長手方向とは垂直な方向）に延在する複数の中空部１０１と、を備える。
【００３９】
デッキ材の第１の側面（図中、向かって左側の側面）においては、内側に後退した側面１０９が設けられ、嵌合溝１１０は、その後退した側面１０９において、設けられている。嵌合溝１１０は、デッキ連結具（ジョイント）の第１の係止部（図１では不図示）が差し込まれる凹部である。
【００４０】
デッキ材の第２の側面（図中、向かって右側の側面）においては、外側に突出する突出片（突起）１１４，１１３が設けられ、これらの突出片（１１４，１１３）の突出長は、第１の側面における側面１０９の内側への後退長に対応するように（つまり、バランスがとれるように）設計されている。そして、突出片（１１４，１１３）に挟まれた部分が、第２の側面における嵌合溝１１２となる。この嵌合溝１１２は、デッキ連結具（ジョイント）の第２の係止部（図１では不図示）が差し込まれる凹部である。
【００４１】
また、この第２の側面の底面（ｓ）には、内側に大きく後退する（切り込む）切り欠き１０８が設けられている。この切り欠き１０８が存在することによって、デッキ材同士が連結された場合に、下に落ちた雨水等を外部に速やかに排出するための排水路が構築されることになる（この点は後述する）。
【００４２】
図２は、図１のデッキ材を矢印のＸ１方向から見た場合の断面図である。
【００４３】
図１でも説明したように、デッキ材１００の第１の側面（図中、向かって右側の側面）と第２の側面（図中、向かって左側の側面）の断面形状は左右対称ではなく、バランスが取れた、巧みな凹凸形状となっている。このことが、デッキ材が連結されたときに、デッキ材の適正な位置決めと、吸水による膨張圧力からの保護と、雨水等を下に落とすための、入り組んだ形状をもつ隙間（流路）の形成と、接続部の底部における排水路の構築と、を同時に実現するのに役立つ（この点は後述する）。
【００４４】
（第２の実施形態）
本実施形態では、デッキ連結具の構造について説明する。
【００４５】
図３は、本発明のデッキ連結具（ジョイント）の構造を示す図であり、（ａ）はデッキ連結具の斜視図であり、（ｂ）は、デッキ連結具の、（図中の矢印Ｘ２方向から見た）背面図である。また、図４は、図３のデッキ連結具（ジョイント）の平面からみた形状（左上）と、正面からみた形状（右上）と、側面の形状（右下）と、を示す図である。
【００４６】
図３（ａ），（ｂ）ならびに図４に示されるデッキ連結具（ジョイント）１０６は、図１，図２に示されるデッキ材１００同士を連結するために使用されるものである。
【００４７】
このデッキ連結具（ジョイント）１０６は、例えば、鉄板材を切り出して、折り曲げ整形して形成されるものであり、根太材（支持材）に固定される固定部（ａ）と、この固定部から略垂直に立ち上がる縦条部（ｂ）と、この縦条部（ｂ）の先端の一部を、一方向に略水平に折り曲げた形状の第１の係止部（ｃ）と、縦条部（ｂ）の先端の他部を第１の係止部（ｃ）とは反対方向に折り曲げた形状の第２の係止部（ｄ）と、固定部（ａ）に連接し、かつ傾斜して立ち上がり、その先端部によって隣接するデッキ材の位置を規制する機能をもつ規制爪（ｅ）と、を、有する。
【００４８】
固定部（ｆ）には、そのデッキ連結具（ジョイント）１０６を根太材（支持材）にビス固定するためのビス穴（Ｙ１，Ｙ２）が設けられている。また、規制爪（ｅ）は、図３，図４では、縦条部（ｂ）の端部に設けられているが、この位置に限定されるものではない。
【００４９】
図３，図４に示されるデッキ連結具（ジョイント）１０６の大きな特徴は、規制爪（ｅ）を備える点であり、デッキ材１００同士が連結された状態では、この規制爪（ｅ）の先端部は、図１（図２）に示されるデッキ材１００の突出片１１３の一部に当接し、これによって、デッキ材１００の位置決めが行われる。
【００５０】
また、規制爪（ｅ）は斜めに傾いているため、組み立て作業時に、デッキ材１００が強く押し込まれた場合でも、その斜めに傾いて前進している分だけ、デッキ材１００が内側に深く侵入することが防止され、このことが、隣接するデッキ材１００同士の接続部において適切な隙間（雨水等を下に落とす流路となる：後述）を形成することに役立つ。
【００５１】
さらに、規制爪（ｅ）は、木質系デッキ材が吸水によって膨張したときに生じる膨張圧力（破壊圧力）を、効果的に吸収するという、重要な機能も併せ持つ。すなわち、規制爪（ｅ）は、デッキ材１００の組み立て時の作業圧力（５０ｋｇｆ〜６０ｋｇｆ（５００Ｎ〜６００Ｎ））によっては降伏せず、デッキ材１００の吸水による膨張に起因する膨張圧力（例えば、６００ｋｇｆ（６０００Ｎ））によっては降伏し得る、応力・ひずみ特性を有している。
【００５２】
規制爪（ｅ）は、通常の作業圧力（５０〜６０ｋｇｆ：５００〜６００Ｎ）には降伏しないため、通常作業時には、この規制爪（ｅ）の存在によって、隣接するデッキ材の奥深くへの侵入が禁止され、適正な位置合わせを自由に、迅速かつ容易に行うことができ、一方、デッキ材１００の吸水による膨張圧力（例えば、６００ｋｇｆ：６０００Ｎ）には、規制爪（ｅ）は降伏して、傾斜している爪が反対方向に向けて変形し、その膨張圧力を吸収し、したがって、デッキ材１００が破壊に至ることがなく、デッキ材１００の信頼性、安全性が向上する。
【００５３】
このように、デッキ連結具（ジョイント）１０６に規制爪（ｅ）が設けられることによって、デッキフロアの組立作業時には、隣接するデッキ材１００同士の位置決めを、極めて容易に行うことができ、したがって、熟練の作業者でなくても組み立てができ、組み立て作業の作業効率が向上するという効果が得られ、雨水を下に落とすための隙間（流路）も確実に確保することができるという効果が得られ、一方、デッキ材１００の吸水による膨張圧力（破壊圧力）は、その規制爪（ｅ）によって効果的に吸収されるため、デッキ材１００を破壊から保護することができるという効果も得られる。
【００５４】
（第３の実施形態）
本実施形態では、図１．図２のデッキ材を、図３，図４のデッキ連結具（ジョイント）によって相互に連結して構成される本発明のデッキ構造と、その組み立て方法について説明する。
【００５５】
図５は、図１，図２のデッキ材を、図３，図４のデッキ連結具（ジョイント）によって相互に連結して構成される本発明のデッキ構造の組み立て方法を説明するための図である。
【００５６】
図５において、デッキ連結具（ジョイント）１０６は、下地の根太材（不図示）にビスにて固定されている。そして、デッキ材１００ａの嵌合溝１１２には、デッキ連結具（ジョイント）の第２の係止部（ｄ）が差し込まれており、かつ、規制爪（ｅ）の先端部が、デッキ材１００ａの突出片１１３の一部に当接している。
【００５７】
この状態で、作業者が、デッキ材１００ｂを、図中の矢印のとおり押し込む。これによって、デッキ材１００ｂの嵌合溝１１０には、デッキ連結具（ジョイント）１０６の第１の係止部（ｃ）が差し込まれ、これによって、デッキ材１００ａ，１００ｂが、デッキ連結具（ジョイント）１０６を介して連結されたことになる。
【００５８】
この作業を繰り返すことによって、デッキ材を順次、連結していき、最後に、端部のデッキ材を、例えば、長いビスにて根太材に固定することによって、デッキ材の組み立て（一列の組み立て）が終了する。
【００５９】
図６は、組みたてられたデッキ構造の、端部付近の断面図である。
【００６０】
図示されるように、最端部のデッキ材１００ｂは、脳天ビス１０２によって、根太材１０４に固定されている。
【００６１】
デッキ材１００ａ，１００ｂを連結するデッキ連結具（ジョイント）１０６は、ビス１０７によって根太材１０４に固定されている。
【００６２】
そして、各デッキ材１００ａ，１００ｂの嵌合溝（１１２，１１０）には、デッキ連結具（ジョイント）１０６の第２の係止部（ｄ）と第１の係止部（ｃ）が各々嵌合しており、かつ、規制爪（ｅ）の先端部が、デッキ材１００ａの突出片１１３の先端面に当接し、これによって、デッキ材１００ａが、デッキ材１００ｂの方に深く入り込まないように規制されている。これによって、双方のデッキ材（１００ａ，１００ｂ）間に、雨水等を下に落とすための、所定間隔の、複雑な断面形状をもつ隙間（雨水等の流路）が自動的に形成される。
【００６３】
また、図示されるように、仮に、コイン２００が、その隙間に落ちたとしても、デッキ材１００ａの側面に形成されている突出片１１４によって、コインの落下が妨げられることになり、歩行者等がコインを失くしてしまうという事態が生じない。このように、デッキ材１００ａの側面に形成される２つの突出片（１１３，１１４）のうちの上側の突出片１１４は、コインの落下防止機能をもつ突出片ということができる。
【００６４】
図７は、本発明のデッキ構造において形成される、デッキ材間の隙間（雨水等を下に落とすための流路となる入り組んだ隙間）について説明するための断面図である。
【００６５】
図７で注目すべき点は、隣接するデッキ材１００ａ，１００ｂ間に、適切な間隔の隙間が形成され、これによって、雨水等を下に直接的に落とすための流路（Ｐ１）が形成されている点、ならびに、デッキ材１００ａ，１００ｂの連結部の下側には、空洞部１０８が形成され（この部分は、本来は、デッキ材１００ｂの側面の切り欠き部分である）、この空洞部１０８は、デッキ連結具１０６の固定部（ａ）を収納するという働きと共に、下に落ちた雨水等を外部に排出するための排水路としても機能する点、である。
【００６６】
雨水等を下に直接的に落とすための流路（Ｐ１）が形成されるため、例えば、ガーデンデッキとして使用した場合には、非常に水はけがよく、しかも、下に落ちた（大量の）雨水等は、排水路１０８を経由して外部に向けて排出されるため、この点でも水はけがよく、したがって、例えば、デッキの下側に、水が長時間に渡って滞留するような事態が生じない。
【００６７】
また、隣接するデッキ材１００ａ，１００ｂ間に形成される隙間は、上記のとおり、デッキ連結具（ジョイント）の規制片（ｅ）の位置決め作用によって、熟練の作業者でなくても容易に（自動的に）形成することができる。排水路１０８も同様に、容易に構築される。したがって、本発明のデッキ材１００とデッキ連結具１０６を用いると、高品質のデッキ構造を簡易に構築することができる。
【００６８】
（第４の実施形態）
図８は、本発明のデッキ材を２次元に配置して構成されるデッキフロアの平面図である。
【００６９】
図示されるように、本発明のデッキフロア５００は、本発明のデッキ材（１００ａ〜１００ｄ等）を二次元に配置して構成されている。図面から明らかなように、デッキフロア５００を上から見た場合には、デッキ材の連結部分の隙間には突出片１１４が張り出しており、したがって、コイン等が下に落下することがないように配慮されている。
【００７０】
このように、本発明によれば、水はけがよく、コイン等の落下防止策も講じられており、信頼性が高く安全であり（膨張による破壊が生じず）、耐久性に富み、かつ組み立て容易な、アウトドアに適した高品質なデッキフロア５００を、容易に構築することができる。
【００７１】
以上説明したように、本発明は、特に、一つのデッキ材と、デッキ連結具と、隣のデッキ材とが係合する部分の構造に工夫が凝らされており（すなわち、一つのデッキ材の左右の側面の形状が同じではなく、各々を最適な形状としており）、また、規制爪を備えるデッキ連結具（ジョイント）を使用しており、これらによって、以下の主要な効果を得ることができる。
（１）デッキ連結具（ジョイント）の規制爪によって、デッキ材同士の間隔を適正に保つことができ、水が、デッキの下側に流れ落ちるための流路が確実に確保されるため、水はけがよい。
（２）作業者の熟練に頼ることなく簡単に、上記（１）のデッキフロアを構築できるため、デッキ組立の作業効率が向上する。
（３）雨水等の吸水によって木質系デッキ材が膨張して過剰な圧力が加わったときは、デッキ連結具（ジョイント）の規制爪が降伏して、その圧力を効果的に吸収するため、デッキ材の破壊が生じることがなく、よって、安全性、信頼性が向上する。
（４）雨水の流路を構成するデッキ材の一部が、コイン等の落下を防止する突条（落下阻止片）としても機能するため、デッキ材同士の間隔を適正に保って上記（１）の効果を得ると同時に、コインがデッキ下に落ちることを効果的に防止でき、したがって、利用者の基本的な利便性が向上する。
（５）デッキ材同士の接続部分の下部には、デッキ材の幅方向（接続方向とは垂直な方向）に沿って中空の溝が形成され、この溝は、デッキ連結具（ジョイント）を、表面に出ないように埋設する働きをもつと共に、デッキ下に落ちた雨水を排水するための排水路としても機能し、したがって、デッキ下に雨水が滞留することがない。
（６）本発明によって、高品質で、水はけがよく、信頼性が高く安全であり（膨張による破壊が生じない）、耐久性に富み、かつ組み立て容易な、アウトドアに適したデッキ構造ならびにデッキフロアが実現される。
【産業上の利用可能性】
【００７２】
本発明は、高品質で、水はけがよく、信頼性が高く安全であり、耐久性に富み、かつ組み立て容易な木質系デッキフロアを実現するという効果を奏し、したがって、デッキ材、デッキ構造、デッキ組み立て方法およびデッキフロアとして有用である。
【図面の簡単な説明】
【００７３】
【図１】本発明の木質系材料からなるデッキ材の斜視図（底面側から見た斜視図）で    ある。
【図２】図２は、図１のデッキ材を矢印のＸ１方向から見た場合の断面図である。
【図３】本発明のデッキ連結具（ジョイント）の構造を示す図であり、（ａ）はデッ    キ連結具の斜視図であり、（ｂ）は、デッキ連結具の、（図中の矢印Ｘ２方向から見    た）背面図である。
【図４】また、図４は、図３のデッキ連結具（ジョイント）の平面からみた形状（左    上）と、正面からみた形状（右上）と、側面の形状（右下）と、を示す図である。
【図５】図１，図２のデッキ材を、図３，図４のデッキ連結具（ジョイント）によっ    て相互に連結して構成される本発明のデッキ構造の組み立て方法を説明するための図    である。
【図６】組みたてられたデッキ構造の、端部付近の断面図である。
【図７】本発明のデッキ構造において形成される、デッキ材間の隙間（雨水等を下に    落とすための流路となる入り組んだ隙間）について説明するための断面図である。
【図８】本発明のデッキ材を２次元に配置して構成されるデッキフロアの平面図であ    る。
【符号の説明】
【００７４】
１００（１００ａ〜１００ｄ）  デッキ材
１０１  中空部
１０２  脳天ビス
１０４  根太材
１０６  デッキ連結具（ジョイント）
１０７  ビス
１０８  切り欠き（空洞部、排水路）
１０９  第１の側面における内側に後退した側面
１１０，１１２  嵌合溝
１１３  突出片
１１４  突出片（コイン落下防止用突出片）
２００  コイン
５００  デッキフロア
ｋ  デッキ材の上面
ｓ  デッキ材の底面
ａ  デッキ連結具の固定部
ｂ  デッキ連結具の縦条部
ｃ  第１の係止部
ｄ  第２の係止部
ｅ  規制爪
Ｙ１，Ｙ２  デッキ連結具のビス固定用穴
【図１】
0004781907.tif 000002
【図２】
0004781907.tif 000003
【図３】
0004781907.tif 000004
【図４】
0004781907.tif 000005
【図５】
0004781907.tif 000006
【図６】
0004781907.tif 000007
【図７】
0004781907.tif 000008
【図８】
0004781907.tif 000009